(57)【要約】【課題】患者接続部に対して排液部が回転自在になる吸痰管ジョイント構造を提供する。【解決手段】患者接続部１００、排液部２００、ソケット部３００からなり、ソケット部３００は、回転端３１０および固着端３２０を具え、回転端３１０は、排液部２００内に回転が可能になるように嵌着されている。固着端３２０は、患者接続部１００に固定するように嵌着され、ソケット部３００によって患者接続部１００よび排液部２００が連接されて患者接続部１００および排液部２００が回転自在になることにより、排液部２００が、吸痰管ジョイント構造の作業状況により適当な位置に調整され、吸痰管ジョイント構造の接続した器材が同時に使用されるのを防ぐ。【選択図】図１
0003180916.tif 000002
【実用新案登録請求の範囲】
【請求項１】
患者接続部と、
排液部と、
回転端および固着端を具え、前記回転端は前記排液部内で回転可能になるように嵌着され、前記固着端は前記患者接続部に固定するように嵌着されているソケット部と、とから構成され、前記患者接続部に対して排液部が回転可能とされていることを特徴とする吸痰管ジョイント構造。
【請求項２】
前記回転端は、前記排液部内に挿設されことを特徴とする請求項１に記載の吸痰管ジョイント構造。
【請求項３】
前記固着端は、前記患者接続部内に挿設されことを特徴とする請求項１に記載の吸痰管ジョイント構造。
【請求項４】
前記ソケット部が外表面上に環状のストッパを凸設すると共に、該ストッパが前記排液部の開口部辺縁に嵌着され、前記ストッパを押圧する固定環をさらに患者接続部側に嵌着して具えることにより、ソケット部を前記排液部の開口部辺縁と固定環との間に挟持して保持することを特徴とする請求項１に記載の吸痰管ジョイント構造。
【請求項５】
前記ストッパ上に環状の溝が設けられ、前記溝内にパッキングを配置してさらに該ストッパと前記排液部内周壁との間を封止したことを特徴とする請求項４に記載の吸痰管ジョイント構造。
【請求項６】
前記ソケット部に嵌設され、前記排液部と前記ソケット部との間に配置されることにより両者間を封止するパッキングをさらに具えることを特徴とする請求項１に記載の吸痰管ジョイント構造。
【請求項７】
前記患者接続部に連通する酸素供給分岐管をさらに具えることを特徴とする請求項１に記載の吸痰管ジョイント構造。
【請求項８】
前記患者接続部に連通する内視鏡挿入管をさらに具えることを特徴とする請求項１に記載の吸痰管ジョイント構造。
【請求項９】
前記排液部に連通する洗浄液注入分岐管をさらに具えることを特徴とする請求項１に記載の吸痰管ジョイント構造。
【請求項１０】
前記患者接続部に連通する内視鏡挿入管をさらに具えることを特徴とする請求項７に記載の吸痰管ジョイント構造。
【請求項１１】
前記排液部に連通する洗浄液注入分岐管をさらに具えることを特徴とする請求項７に記載の吸痰管ジョイント構造。
【請求項１２】
前記排液部に連通する洗浄液注入分岐管をさらに具えることを特徴とする請求項８に記載の吸痰管ジョイント構造。
【請求項１３】
前記患者接続部に連通する酸素供給分岐管をさらに具えることを特徴とする請求項１２に記載の吸痰管ジョイント構造。
【請求項１４】
前記排液部に洗浄液注入分岐管に対応する位置に排液管に洗浄液を導入する導水孔と該排液管を患者接続部に挿通する排液管挿入孔との位置を切り替える回転弁をさらに設けていることを特徴とする請求項９に記載の吸痰管ジョイント構造。
【請求項１５】
前記排液部に洗浄液注入分岐管に対応する位置に排液管に洗浄液を導入する導水孔と該排液管を患者接続部に挿通する排液管挿入孔との位置を切り替える回転弁をさらに設けていることを特徴とする請求項１１に記載の吸痰管ジョイント構造。
【請求項１６】
前記排液部に洗浄液注入分岐管に対応する位置に排液管に洗浄液を導入する導水孔と該排液管を患者接続部に挿通する排液管挿入孔との位置を切り替える回転弁をさらに設けていることを特徴とする請求項１２に記載の吸痰管ジョイント構造。
【請求項１７】
前記排液部に洗浄液注入分岐管に対応する位置に排液管に洗浄液を導入する導水孔と該排液管を患者接続部に挿通する排液管挿入孔との位置を切り替える回転弁をさらに設けていることを特徴とする請求項１３に記載の吸痰管ジョイント構造。
【考案の詳細な説明】
【技術分野】
【０００１】
本考案は、吸痰管ジョイント構造に関し、特に、患者接続部および排液部が回転するように連接する吸痰管ジョイント構造に関する。
【背景技術】
【０００２】
吸痰管ジョイント構造は、吸痰器の一部分を形成している。吸痰器は、気管切除患者に適用され、分泌物や痰を吸引する。
【０００３】
吸痰管は、患者の気管内に挿入される。吸痰管は、外端が吸痰管ジョイント構造に嵌合されている。吸痰管ジョイント構造は、吸痰管が患者の気管内に入る通路となり、酸素の供給、吸痰、洗浄液の注入などの多機能を有する。そのため、従来の吸痰管ジョイント構造は、吸痰管およびそれを覆う保護膜を連接する以外に、酸素供給管路、洗浄管路など異なる作用を有する分岐管も複数連接していた。従来の吸痰管ジョイント構造は、連接する管路が複数あるため、操作の際に、同時に使用してしまわないように注意する必要があり、使い勝手が悪かった。
【先行技術文献】
【特許文献】
【０００４】
【特許文献１】特開２０１０−４２０８２号公報
【考案の概要】
【考案が解決しようとする課題】
【０００５】
本考案の目的は、患者接続部および排液部が回転するように連接する吸痰管ジョイント構造を提供することにある。
【課題を解決するための手段】
【０００６】
上述の目的を達成するため、本考案は、吸痰管ジョイント構造を提供する。本考案の吸痰管ジョイント構造は、患者接続部、排液部、ソケット部を具える。ソケット部は、回転端および固着端を有する。回転端は、排液部内に回転が可能になるように嵌着されている。固着端は、患者接続部に固定するように嵌着されている。
【考案の効果】
【０００７】
本考案の吸痰管ジョイント構造は、ソケット部によって患者接続部よび排液部が連接されて患者接続部および排液部が回転自在になる。このため、排液部が、吸痰管ジョイント構造の作業状況により適当な位置に調整され、吸痰管ジョイント構造の接続した器材が同時に使用されるのを防ぐ。以上のように、従来技術において、欠点とされた管路または器材が同時に使われ、操作上の不便となっていたことを改善することができる。
【図面の簡単な説明】
【０００８】
【図１】本考案の第１の実施形態による吸痰管ジョイント構造を示す分解斜視図である。
【図２】本考案の第１の実施形態による吸痰管ジョイント構造を示す分解断面図である。
【図３】本考案の第１の実施形態による吸痰管ジョイント構造を示す断面図である。
【図４】本考案の第２の実施形態による吸痰管ジョイント構造を示す正面図である。
【図５】本考案の第２の実施形態による吸痰管ジョイント構造を示す断面図である。
【考案を実施するための形態】
【０００９】
以下、本考案の実施形態を図面に基づいて説明する。
【００１０】
図１を参照する。図１は、本考案の第１の実施形態による吸痰管ジョイント構造を示す分解斜視図である。図１に示すように、本考案の吸痰管ジョイント構造は、患者接続部１００、排液部２００、ソケット部３００、固定環４００およびパッキング５００を有する。ソケット部３００は、患者接続部１００および排液部２００を接続する。
【００１１】
図１〜３を
参照する。図２は、本考案の第１の実施形態による吸痰管ジョイント構造を示す分解断面図である。図３は、本考案の第１の実施形態による吸痰管ジョイント構造を示す断面図である。
図１〜３に示すように、患者接続部１００は、患者体内に配置された人工気管に嵌着するのに用いられる。排液部２００は、排液管１０を嵌着するのに用いられる。排液管１０は、一方の端部が患者接続部１００を貫通して人工気管に挿入され、もう一方の端部が負圧となるように接続されるのが好適で、患者の気管内の分泌物および痰を抽出する。
【００１２】
ソケット部３００は、回転端３１０および固着端３２０を有する。回転端３１０は、排液部２００内に回転可能になるように挿設され、固着端３２０は、患者接続部１００内に挿設され、患者接続部１００に固定するように嵌着されている。本実施形態では、強く嵌着する方法を用いているが、これに限定されるものではない。患者接続部１００は、内壁に凸縁１１０を凸設するのが好適である。凸縁１１０が、固着端３２０の開口部辺縁に押し付けられることによってソケット部３００および患者接続部１００が軸方向に相対するように位置決めが行なわれる。回転端３１０は、外表面上にストッパ３３０を凸設するのが好適である。ストッパ３３０には、環状の溝３３１を設けられ、該溝３３１にパッキング５００が嵌設され、溝３３１内において、排液部２００の内壁とソケット部３００の外壁との間に配置される。これにより、パッキング５００が患者接続部１００および排液部２００の接触部分を密閉することができる。
【００１３】
固定環４００は、排液部２００の開口部辺縁に嵌着され、ソケット部３００外周のストッパ３３０を押圧している。固定環４００は、外側に径方向の外側に向かって延伸している嵌合部４１０を有する。嵌合部４１０の排液部２００に相対する位置に環状の環状突起４２０が凸設されている。環状突起４２０は、排液部２００の開口部辺縁に嵌入され、固定環４００を排液部２００に対して固定させる。これにより、固定環４００がストッパ３３０を押圧して、ソケット部３００が排液部２００から外れるのを防ぐと同時に、ソケット部３００の一方の端部が回転可能な状態で排液部２００に接続させることができる。以上のように、排液部２００は、ソケット部３００および固定環４００によって回転可能な状態で患者接続部１００に接続している。
【００１４】
ストッパ３３０に対応するように、内側に凸出した凸縁２１０を排液部２００の内壁に設けることが好適である。凸縁２１０は、ストッパ３３０を押圧し、ストッパ３３０が凸縁２１０と固定環４００との間に挟まれるようにすることによって排液部２００は軸方向に移動することがなくなる。
【００１５】
図４および図５を参照する。図４は、本考案の第２の実施形態による吸痰管ジョイント構造を示す正面図である。図５は、本考案の第２の実施形態による吸痰管ジョイント構造を示す断面図である。図４および図５に示すように、本実施形態の吸痰管ジョイント構造は、患者接続部１００、排液部２００、ソケット部３００、固定環４００、パッキング５００、酸素供給分岐管６００、内視鏡挿入管７００、洗浄液注入分岐管８００および回転弁９００を含む。ソケット部３００は、患者接続部１００および排液部２００を回転可能な状態で接続するのに用いられるが、第１の実施形態と同様の構造は説明を省略する。
【００１６】
患者接続部１００に連通する酸素供給分岐管６００を提供する。酸素供給分岐管６００は、酸素供給管路に接続され、酸素を酸素供給分岐管６００および患者接続部１００を介して患者の肺に呼吸気体として供給するのに用いられる。
【００１７】
患者接続部１００に連通する内視鏡挿入管７００を提供する。内視鏡挿入管７００は、気管支鏡を配置するのに設けられている。気管支鏡は、内視鏡挿入管７００内に挿入され、患者接続部１００を通過して患者の気管支内に配置され、気管支内の映像を取得する。
【００１８】
排液部２００に連通する洗浄液注入分岐管８００を提供する。洗浄液注入分岐管８００は、排液部２００に連通し、排液管１０を洗浄するのに用いられるが、洗浄管路に接続するのが好適である。排液管１０が患者の気道の端部に挿入され、排液部２００内に吸引し、洗浄液が洗浄液注入分岐管８００から排液部２００内に注入され、排液管１０の洗浄が行なわれる。使用された洗浄水は、排液管１０に接続された負圧によって排液管１０から排出される。
【００１９】
回転弁９００は、排液部２００上部の洗浄液注入分岐管８００に対応する位置に設けられている。回転弁９００上で異なる方向に導水孔９１０および管挿入孔９２０が設けられている。排液管１０が洗浄される際、回転弁９００が回されると、管挿入孔９２０が排液部２００の内壁に遮蔽されて封鎖され、導水孔９１０が排液管１０に相対する位置に来る。排液部２００および患者接続部１００は、回転弁９００によって隔てられている。洗浄液が洗浄液注入分岐管８００を通過して回転弁９００内に注入され、回転弁９００により導水孔９１０に導かれて排液管１０へ流入する。また、回転弁９００により洗浄液が患者接続部１００に流入するのが防がれる。使用時においては、排液部２００および患者接続部１００を貫通した排液管１０が、患者の気道内に挿入されるが、このとき、回転弁９００の方向が回転調整され、排液管１０が管挿入孔９２０を介して回転弁９００内に挿入される。この時、導水孔９１０が排液部２００の内壁に覆われて封鎖された状態になるのが好適である。
【００２０】
本考案は、ソケット部３００によって患者接続部１００および排液部２００が連接されて患者接続部１００に対して排液部２００が回転自在になる。そのため、排液部２００が、吸痰管ジョイント構造の作業状況により適当な位置に調整され、吸痰管ジョイント構造の接続した器材が同時に使用されるのを防ぐ。以上のように、従来技術において、欠点とされた管路または器材が同時に使われ、操作上の不便となっていたのを改善することができる。
【００２１】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２２】
１０  排液管
１００  患者接続部
１１０  凸縁
２００  排液部
２１０  凸縁
３００  ソケット部
３１０  回転端
３２０  固着端
３３０  ストッパ
３３１  溝
４００  固定環
４１０  嵌合部
４２０  環状突起
５００  パッキング
６００  酸素供給分岐管
７００  内視鏡挿入管
８００  洗浄液注入分岐管
９００  回転弁
９１０  導水孔
９２０  管挿入孔
【図１】
0003180916.tif 000003
【図２】
0003180916.tif 000004
【図３】
0003180916.tif 000005
【図４】
0003180916.tif 000006
【図５】
0003180916.tif 000007